(57)【特許請求の範囲】
【請求項１】
２種のボールペン筆記体を搭載して、選択的に夫々の筆記先端部を先軸の先端口から交互に出没可能とした複式筆記具に於いて、先軸と後軸と、この後軸の内孔に後軸に対し略１８０度の範囲で回転可能に配設されると共に後軸の後端に突出した回転軸の後端部に固定された操作体と、軸周面にカム溝が形成された回転軸の外周に前記カム溝と係合する突起部が夫々対向する内側に形成された一対の摺動コマが配設され、夫々の摺動コマの前方に夫々ボールペン筆記体が設けられ、回転軸のカム溝の後方に位置する大径部周面の後端側に切り開かれた周方向の溝と、該溝の中央位置で前端に切り開かれた巾狭の縦溝と、後軸の後端内周にリブが形成されて、又、操作体と後軸の後端との間にスプリングが設けられて操作体と回転軸が適宜前進可能で、且つ回転軸が後軸後端に抜け止めされた状態で後方に附勢され、後軸に対して操作体を回転したときに、後軸のリブが回転軸の周方向の溝を前記略１８０度の範囲で回転方向に摺動し、又、後軸のリブが前記回転軸の巾狭の縦溝に嵌入・係合して、後軸に対し回転軸が回転阻止され、後軸に対し操作体を適宜前進して後軸のリブと回転軸の巾狭の縦溝との係合を解除した状態で回転した時に回転軸が回転可能となり、操作体の回転に伴う回転軸の回転に連動して、夫々の摺動コマが交互に前後動して夫々の筆記体の筆記先端部が先軸先端口から出没可能となるように構成されたことを特徴とする複式筆記具。
【請求項２】
ボールペン筆記体は、先端ボールを抱持するチップと後方にインキ収容管を有し、該インキ収容管内に筆記に伴う先端ボールの回転で粘性が低下して流出される、所謂剪断減粘性を有した水性ボールペンインキ又は低粘度の油性インキが充填され、インキの後端に筆記に伴うインキの消耗に追随して移動するグリース状の半透明不乾性物から成るフォロアが充填されて構成されたものであって、前記インキ収容管のインキ収容部が比較的大きな断面積を有した非変形のものであって、チップとインキ収容部を接続する部位が軸長方向に対する横方向に容易に変移可能と成されたことを特徴とする上記請求項１記載の複式筆記具。
【請求項３】
ボールペン筆記体は、先端ボールがチップ先端のボール抱持部の内縁に常時には押圧して密接し、筆記時には密接状態が解除されるように設けられたスプリングを有することからなる上記請求項２記載の複式筆記具。
【請求項４】
ボールペン筆記体は、チップ後端に対接してボール弁が遊嵌された弁室が設けられ、該弁室後部にボール弁が密接してインキの逆流を防ぐボール受け座及び該ボール受け座からインキ収容管に通ずる導孔が設けられて成る上記請求項３記載の複式筆記具。
【請求項５】
操作体の一側から後軸の前方に向かって設けられたクリップと、該クリップの玉部に対接する後軸周面の所定位置に膨出部が設けられて、操作体を回転して筆記先端部が先軸先端口から突出した状態のみにおいて、クリップの玉部と前記膨出部の相互間が係合してクリップが胸ポケット等に差せないように構成したことを特徴とする上記請求項２〜４のいずれか１項に記載の複式筆記具。
【発明の詳細な説明】
【０００１】
【産業上の利用分野】
本発明は、剪断減粘性を有する水性（中粘度と呼ばれる）、低粘度の油性ボールペンインキが充填されてなるボールペン筆記体を搭載して成る複式筆記具に関する。
【０００２】
【従来の技術】
一般に、ボールペン等の複数の筆記体を搭載して、軸先から選択的にその筆記先端部を出没可能とした複式筆記具が知られている。
又、複式筆記具の筆記先端部の出没機構としては、ノック式のもの、筆記具の軸筒側面から貫出したスライダーを交互に摺動させるスライダー式のもの、傾斜面を備えたカム筒を回転させて行うカム式のもの等種々知られている。
従来の出没機構は、筆記体を軸筒内に戻すためのリターンスプリングを内蔵しているため、構造が複雑で、部品点数も多く、コスト高となる問題がある。
又、機構を内蔵するためのスペースが大きく、リフィール形状の自由度が少ない。
【０００３】
一方、中粘度の水性、低粘度の油性ボールペンはインキ収容管が太くなるために通常の太さの複式筆記具に搭載した場合、筆記体間の自由度がなく突出する筆記体の先端部が軸筒の先端孔にスムーズに求心されず、作動が阻害されて筆記先端部の出没が不可となる。従って、作動を可能とするために軸筒が極端に太くなって、携帯性、使い勝手が悪くなる欠点がある。
【０００４】
水性ボールペンは、粘度が数ｍＰａ・Ｓ以下の低粘性であるため、軽い筆記圧で書けることが利点であり、書き味が良好である特徴がある。しかしながら、インキがペン先からだらだらと流れ出る直流現象や、反対にボールペンの先から空気が流入してインキが流出する逆流現象などが起こり易い欠点がある。これらの現象は中綿と称する繊維の収束体などを用いて防止する方法がとられている。
又、キャップオフの状態で放置すると、溶媒の蒸気圧が高く、溶媒がれのため、先端が乾燥してインキが流出しなくなり、書けなくなってしまうという問題がある。
【０００５】
一方、従来知られている油性ボールペンは、それに使用するインキが粘度が数千ｍＰａ・Ｓ以上の高粘度のために、ペン先からインキが流出する際にボールが回転する時の抵抗が大きいため書き味が悪い欠点がある。又、筆記の際に先端から流出するインキ量は少なく、ボテ現象があり、筆記描線のムラがあり筆跡濃度が薄いこと、高い筆記圧が必要なことなどの問題がある。
この油性ボールペンの改良として、  最近、上記の水性と油性との中間粘度領域（数ｍＰａ・Ｓ〜数千ｍＰａ・Ｓ）のインキを用いる中粘度と呼ばれる水性インキ用ボールペンが開発されている。このものは、先端ボールの回転によって粘度が低下してインキがスムーズに流出する特性、所謂剪断減粘性を有する相対的に低粘性の水性のインキを用いたボールペンである。しかしながら、このものはインキが乾燥しやすい欠点があるために通常は筆記先端部をシールするキャップが必要である。又、インキの流出量が多くなり、筆記寿命を延ばすためにインキ収容管の径を太くしてインキの充填量を多くする必要がある。
【０００６】
又、上記油性ボールペンの改良として、耐乾燥性に優れた低粘度の油性インキを用いたボールペンが考えられるが、やはりインキの流出量が多くなり、筆記寿命を延ばすためにインキ収容管の径を太くしてインキの充填量を多くする必要がある。又、インキの粘度が低いために、チップ側を下向きにした場合に先端ボールとチップ抱持部の隙間が生じるとインキが滲みでる（直流）が生じたり、筆記時にインキの流出量が多くなる欠点がある。
【０００７】
上記、中粘度の水性インキ、低粘度の油性インキの何れも低粘性であることからインキが逆流や直流しやすい現象がある。インキが逆流や直流を起こすと衣類などを汚す危険がある。又、落下やノック衝撃で筆記掠れが生じやすい欠点がある。
又、筆記具に搭載して、その筆記先端部が突出したまま胸ポケット等に差した場合に、衣服を汚損するという問題もある。
又、中粘度の水性ボールペンは、通常インキ収容管後端に、フォロアと称されるグリース状の半透明不乾性物質が充填されるので、インキ蒸発防止の問題はペン先、即ちボールとホルダーの間隙からの蒸発低減化を考えればよい。例えば、油性ボールペンのように蒸気圧がかなり低い溶剤を主として用いれば、インキの蒸発は考慮しないですむ。しかし、水性インキの場合は水が主溶剤なので、低蒸気圧溶剤を選択しただけでは、水の蒸発を防げない。
【０００８】
【発明が解決しようとする課題】
本発明の目的は、上記従来技術の問題点を解決し、即ち、複数の筆記体を軸筒内に搭載して、軸筒先端から夫々の筆記体の筆記先端部を選択的に出没可能とし、製造コスト、携帯性、使い勝手性に優れた複式筆記具を提供することにある。又、インキの逆流、直流現象が生じず、ペン先の耐乾燥性が維持されてキャップを外して放置することができ、又、落下衝撃、上向き筆記によるインキの逆流やインキの直流を防止する機構を有する中粘度の水性、低粘度の油性ボールペンの筆記体を構成し、
当該ボールペン筆記体を２種軸筒内に搭載して、軸筒先端から夫々の筆記体の筆記先端部を選択的に出没可能とすると共に、筆記先端部が突出したままでは胸ポケット等に差せず衣服を汚損することがない便利な複式筆記具を提供可能とする。
【０００９】
【課題を解決するための手段】
本発明の複式筆記具は、２種のボールペン筆記体を搭載して、選択的に夫々の筆記先端部を先軸の先端口から交互に出没可能とした複式筆記具に於いて、先軸と後軸と、この後軸の内孔に後軸に対し略１８０度の範囲で回転可能に配設されると共に後軸の後端に突出した回転軸の後端部に固定された操作体と、回転軸の外周に一対の摺動コマが配設され、夫々の摺動コマの前方に夫々ボールペン筆記体が設けられ、又、操作体と後軸の後端との間にスプリングが設けられて操作体と回転軸が適宜前進可能で、且つ回転軸が後軸後端に抜け止めされた状態で後方に附勢されその時、回転軸と後軸との相互間が係合して後軸に対し回転軸が回転阻止され、後軸に対し操作体を適宜前進した状態を維持して回転した時に回転軸が回転可能となり、操作体の回転に伴う回転軸の回転に連動して、夫々の摺動コマが交互に前後動して夫々の筆記体の筆記先端部が先軸先端口から出没可能となるように構成される。
【００１０】
又、ボールペン筆記体は、先端ボールを抱持するチップと後方にインキ収容管を有し、該インキ収容管内に筆記に伴う先端ボールの回転で粘性が低下して流出される、所謂剪断減粘性を有した水性ボールペンインキ又は低粘度の油性インキが充填され、インキの後端に筆記に伴うインキの消耗に追随して移動するグリース状の半透明不乾性物から成るフォロアが充填されて構成されたものであって、前記インキ収容管のインキ収容部が比較的大きな断面積を有した非変形のものであって、チップとインキ収容部を接続する部位が軸長方向に対する横方向に容易に変移可能と成されている。
【００１１】
又、ボールペン筆記体は、先端ボールがチップ先端のボール抱持部の内縁に常時には押圧して密接し、筆記時には密接状態が解除されるように設けられたスプリングを有することからなる。
又、ボールペン筆記体は、チップ後端に対接してボール弁が遊嵌された弁室が設けられ、該弁室後部にボール弁が密接してインキの逆流を防ぐボール受け座及び該ボール受け座からインキ収容管に通ずる導孔が設けられてなる。
【００１２】
又、操作体の一側から後軸の前方に向かって設けられたクリップと、該クリップの玉部に対接する後軸周面の所定位置に膨出部が設けられて、操作体を回転して筆記先端部が先軸先端口から突出した状態のみにおいて、クリップの玉部と前記膨出部の相互間が係合してクリップが胸ポケット等に差せないように構成したことを特徴とする。
【００１３】
【実施例】
先ず、図１乃至図７は本発明の実施例を示している。図１に於いて、２本のボールペン筆記体１ａ、１ｂが設けられている。
本発明の意図する複式筆記具は、所謂剪断減粘性を有した水性、又は低粘度の油性ボールペンインキが充填されたボールペン筆記体が用いられるものである。
【００１４】
図１の複式筆記具は、前部に位置した筆記具機構の部分を収納する先軸４９及び後軸３０と後軸の後端に配設された操作体４０とからなる。又、先軸４９の後部内周に雌螺子４９ａが形成されている。
又、後軸３０の前部には雄螺子３２が形成され、前記先軸４９の雌螺子４９ａと螺合されて、必要に応じて取り外されて筆記体の交換などを行う。
又、前記後軸３０の内孔後端の内周に後述する回転軸３３の回転範囲を規制する回り止め用のリブ３０ａが形成されると共に後端段部３０ｂを有し、又、後軸３０の前方内周部に９０度間隔にあいて軸方向に形成された４本のガイド用のリブ３１が形成されている。
又、後軸３０のやや後方寄りの外周に対向する２箇所で膨出部３９が形成され、夫々の膨出部の前面側には凸部３９ａ、凹部３９ｂが設けられている。
【００１５】
回転軸３３は大径部３６の前方に小径部３４を有し、小径部３４の周面に螺旋状のカム溝３５が形成されている。又、カム溝３５の後方に位置する大径部周面の後端側に切り開かれた周方向の溝３６ａと、該溝３６ａの中央位置で前端に切り開かれた巾狭の縦溝３６ｅが形成されている。尚、後述するが後軸３０の後端内周にリブが形成されて、該リブが前記溝３６ａを略１８０度の範囲で回転方向に摺動し、リブが縦溝３６ｅに嵌入して回転阻止されるよう構成される。
又、前記大径部３６の後方に軸部３７を有し、更にその後方に縮径した軸部３８ａを有し、その軸部の後端に鍔部３８ｂを備えた係止部３８が、又、軸部３８ａの所要箇所で回転止め溝３８ｄが設けられている。
【００１６】
操作体４０は後軸３０の後端部４０ｂに外装する筒部４０ａと、筒部４０ａの外周部の一側面から前方に延設したクリップ４０ｃで形成される。クリップ４０ｃ先方の内側には玉部４０ｄが設けられ、又、筒部４０ａの後端部４０ｂの孔部には上記回転軸３３の軸部３８ａの周面に設けたリブ（図示せず）が設けられており、後述するが、回転軸３３の上記鍔部３８ｂが後端部４０ｂの後端に貫出して回転軸３３と操作体４０は固着される。
又、操作体４０の後端に天冠４２が止着される。
【００１７】
摺動コマ４３ａ，４３ｂの前方には挿入孔４５ａ，４５ｂ設けられ、夫々の挿入孔には後述するボールペン筆記体１ａ，１ｂの後端を止着する内方突条の係止部４６ａ，４６ｂが設けられている。又、その後方の内面側には回転軸３３の回転に伴うカム溝３５の押圧で夫々の摺動コマが前後動するための突起４４ａ，４４ｂが形成されている。
又、摺動コマ４３ａ，４３ｂの外周には、上記後軸３０のガイド用のリブ３１に回転止め係合する溝４８ａ，４８ｂが設けられている。
従って、摺動コマ４３ａ，４３ｂの側面に設けた溝４８ａ，４８ｂがガイド用のリブ３１と夫々噛み合うことにより、摺動コマ４３ａ，４３ｂを円滑に前後動させる。又、摺動コマ４３ａ，４３ｂの横断面形状は略Ｄ形を成している。従って、従来例でよく示される、相対向する２つのガイド溝を有したガイド筒を取付ける複雑な構成を必要としない利点がある。
又、摺動コマ４３ａ，４３ｂは夫々の平坦側が相対接するが、相互間の摺動をより円滑とする為に、摺動コマ４３ｂにガイド突起４７ｂが、摺動コマ４３ａにはガイド突起４７ｂを嵌挿するガイド溝４７ａが設けられている。
【００１８】
そして、回転軸３３は上記摺動コマ４３ａ，４３ｂの突起４４ａ，４４ｂをカム溝３５に係合させた状態で後軸３０の内孔に挿入され、後軸３０の後端内周に形成されたリブ３０ａが上記回転軸の縦溝３６ｅに嵌入して、大径部３６の後端が後軸の後端段部３０ｂに当接されると共に回転軸３３の後端軸部に上記操作体４０が止着される。尚、その際に操作体４０の内段部と後軸３０の後端との間にスプリング４１が附勢される。尚、上述したようにリブ３０ａは溝３６ａ内を略１８０度の範囲で回転方向に摺動し、リブ３０ａが縦溝３６ｅに嵌入して回転軸３３が後軸３０に対し回転阻止されるよう構成される。
【００１９】
後軸３０に対し操作体４０を前進した状態を維持して回転することで回転軸３３が回転し、それと共に一方の摺動コマが前進し、他方の摺動コマが後退する。（図１の状態）又、摺動コマ４３ａ，４３ｂの挿入孔４５ａ，４５ｂにボールペン筆記体１ａ，１ｂの後端部が止着され、後軸３０の前方に先軸４９が固定される。
【００２０】
次に、本発明の複式筆記具に搭載されるボールペン筆記体１ａに付いて説明する。尚、ボールペン筆記体１ａと１ｂは同じ構成であり、例えば、インキ色などが異なるものである。
又、ボールペン筆記体に適用されるインキは所謂剪断減粘性を有した水性、低粘度の油性インキである。
【００２１】
図６に示すようにチップ１１は、インキ流入可能なチャンネルを有した座に先端ボール１２が略当接した状態で、先端ボール１２が回転自在に抱持されるようカシメられている。又、チップ１１の内孔部にスプリング１４が内挿され、スプリング１４の後端が抜出不能となるようにチップの軸部１３の後端を適宜カシメている。又、先端ボール１２がチップ抱持部の内面に密接することは筆記先端の乾燥、インキの直流防止に対し極めて重要であって、そのために先端ボールを抱持するチップ内面の表面粗さ、カシメによる密接精度を改善する為に内面の研削仕上げ、カシメ精度を上げる為の二次的な塑性加工が配慮される。又、先端ボールとの密接面に表面処理などが配慮される。
【００２２】
又、スプリング１４の先方は直線状の棒軸部１５となり、当該棒軸部１５の先端が先端ボール１２の後端に押圧状態で当接する。尚、先端ボール１２はその押圧によってチップ１１のボール抱持部（カシメなどで形成）の内縁に密接状態となる。
【００２３】
又、継ぎ手２は先端にチップ１１の軸部１３を圧着する前軸部３とインキ収容管１７の前端に圧着される後軸部５が形成され、前記前軸部３と後軸部５との間がフレキシブルな、例えば蛇腹４などで一体に接続された樹脂成形品で形成される。又、前軸部３の内孔部後方にはボール弁１６が遊嵌している弁室７があり、弁室７の後方にはテーパー状又は球面状のボール受け座８と軸心に適宜偏心して設けられた導孔９とが設けられ、前記蛇腹４、後軸部５の内孔がインキ収容管１７の内孔に連通している。又、弁室７の内壁の一側には軸方向にインキが流れるように溝部を設けている。（図示せず）この弁室７内の遊嵌しているボール弁１６は、チップ１１を下向きにした状態では、チップの軸部１３の後端に偏った状態に接してインキ流路を形成し、インキ収容管のインキは導孔９を通り前記溝部、前記インキ流路をなどを通じてチップ内孔部に流入する。逆に上向きの状態ではボール弁１６がボール受け座８に当接してインキの逆流を防止する機能が得られる。
【００２４】
又、インキ収容管１７内には上記ボールペンのインキ１８が充填され、更に、このインキ１８の後端にインキの消耗と共にインキ面に接触して追随して移動可能なグリース状の半透明不乾性物から成るフォロア１９が充填される。又、落下やノック衝撃等による変形を防止するために必要に応じてフォロア１９内にフォロアと略同等の比重を有する樹脂製のフォロア棒２０が浸漬される。インキ収容管１７の後端には尾栓２１が固着されていて、該尾栓後端の軸部に上述した摺動コマ４３ａ、４３ｂの前部に設けられている挿入孔の係止部４６ａ，４６ｂに着脱可能に止着する係止溝２３が設けられている。又、尾栓２１にはインキ収容管１７の内部と外気を連通する通気溝２２が設けられている。
尚、上記インキ収容管１７は一例として透明ＰＰ樹脂成形品等が使用される。又、インキ収容管１７をクリアドレン性に優れた材質で選定する。又、インキ収容管は継ぎ手２と一体に形成されてもよい。
【００２５】
又、インキ収容管１７のインキ収容部は比較的大きな断面積を有した非変形のものであって、実施例では後軸３０内に無駄なく嵌挿する略Ｄ形の断面形状を有している。尚、上記チップ１１とインキ収容部を接続する部位が軸長方向に対する横方向に容易に変移可能と成される。
又、チップ１１後端を圧着する継ぎ手とインキ収容管との間にフレキシブルなチューブを接続して構成することも可能である。
【００２６】
【作用】
後軸３０に対して操作体４０を前進させた状態を維持して一方に回転すると、摺動コマ４３ａ，４３ｂの突起４４ａ，４４ｂが回転軸３３の回転に伴いカム溝３５に沿って摺動して、何れか一方の摺動コマが前進、他方が後退して、前進側の筆記体の筆記先端部を先軸４９の先端口から突出させることが可能となる。又、その時リブ３０ａに大径部３６の当接部３６ｂが当接して回転が阻止される。又、ボールペン筆記体のインキ収容部が非変形であっても筆記先方部位がフレキシブルに変移するので作動が阻害されずに先軸４９の先端口からスムーズに筆記先端部が出没する。
【００２７】
又、一方のボールペン筆記体１ａが突出した状態に於いては、図１に示すようにクリップの玉部４０ｄの凸部４０ｅが後軸の膨出部３９の凹部３９ｂに係合されてクリップ４０ｃが胸ポケット等に差せない状態を作る。
【００２８】
次に、回転軸３３を反対方向に回転すると摺動コマ４３ａが後退してボールペン筆記体１ａの筆記先端部が先軸４９内に没入すると共に、摺動コマ４３ｂが前進する。
その時、筆記先端部が先軸４９内に収容された携帯状態となり、その状態に対するクリップが図３に示すロ位置となって胸ポケット等に容易に差すことが可能となる。又、その時操作体４０の前進を解除すると後軸のリブ３０ａが回転軸の縦溝３６ｅに嵌入して筆記体が前後動しないように固定される。尚、図５に示すように縦溝の入口３６ｆにアール又は適宜大きな傾斜を設けることでリブ３０ａが容易に縦溝３６ｅに案内可能である。
【００２９】
又、操作体を前進状態にして、更に回転軸３３を回転すると摺動コマ４３ａが更に後退し、摺動コマ４３ｂが更に前進してボールペン筆記体１ｂの筆記先端部が先軸４９の先端口から突出する。その状態に対するクリップが図３に示すハ位置となってクリップの玉部４０ｄの凸部４０ｅが後軸の膨出部３９の凹部３９ｂに係合されてクリップ４０ｃが胸ポケット等に差せない状態を作る。
又、図４に示す回転軸の大径部３６の溝３６ａの当接部３６ｃが後軸のリブ３０ａに当接して他方の回転規制がなされる。
【００３０】
ボールペン筆記体１ａは、チップ１１を上向きにした状態に於いて、そのボール弁１６が弁室７のボール受け座８に位置して導孔９を密閉するので、上向き筆記されてチップの先端ボール１２直下のインクがなくなっても、インキにヘッドが掛かり逆流することがない。従って、チップ１１を下向きにした時にはインキがすぐに流出可能となり、筆記で掠れが防止される。（因みにボール弁を有しない構造では、上向き筆記でインキが逆流方向に作用するのでチップ内に空気を巻き込み、下向き筆記で即インキが追随せず掠れが生じる）
【００３１】
チップ１１を下向きにした筆記状態に於いては、ボール弁１６がチップ１１後端の一方に偏った状態に当接し、他方にはチップ１１内にインキが流入可能な流路が構成され、インキ収容管１７から導孔９を経て弁室７に入ったインキ１８は先端ボール１２の背面まで誘導される。
この状態で、棒軸部１５の押圧で先端ボール１２がチップ抱持部の内縁に密接されるのでインキの直流が防止される。又、筆圧により先端ボール１２が微小に後退するので隙間を生じてインキが流出可能となり、筆記により先端ボール１２の回転でインキがスムーズに流出され、ボテが無く、筆跡濃度の高い筆記が可能となる。
【００３２】
先端ボール１２の背面にはチャンネル（チップ内孔に向かって貫通したインキ流入溝を複数箇所に有した先端ボールの受け座）がありチャンネルの中心孔には棒軸部１５が貫通する。チップ内のインキはインキ流入溝および中心孔と棒軸部１５との間の隙間を通じて先端ボール１２背面に誘導される。
【００３３】
【発明の効果】
本発明の複式筆記具の構成及び作用は以上の如くであり、構造を簡素化することによって、組み立て性や、コスト的に有利になると共に、筆記具の軸筒内にほぼ密装される大型のボールペン筆記体を装填した便利な複式筆記具が携帯性、使い勝手性を満足した軸体の太さで提供可能となる。
又、所謂剪断減粘性を有した水性、低粘度の油性インキを使用したボールペン筆記体を搭載して、ボテの無い、描線の濃い、筆記掠れの無い、且つ、キャップを不要として筆記先端部を出没可能とし、且つ、インキの直流や上向き筆記、ノック及び落下衝撃に対するインキの逆流で軸筒内や手や衣服等を汚す事故が防止される。
又、操作体を回転して筆記先端部が先軸先端口から突出した状態のみにおいてクリップの玉部の凸部が後軸の膨出部の凹部に係合されてクリップが胸ポケット等に差せない状態を作るので筆記先端部を突出したまま胸ポケット等に差すこともなく、従って、衣服を汚損する事故が防止される。
又、筆記先端部が収納された状態では、後軸に対し操作体が押圧前進されない限り回転しないので不用意に筆記先端部が突出する問題もない。
【図面の簡単な説明】
【図１】本発明の実施例である複式筆記具の全体を示す縦断面図で、一部非断面で示されている。又、２種のボールペン筆記体が搭載されている。
【図２】図１に於けるＣ−Ｃ矢視断面図であるが、摺動コマ４３ａには筆記体が止着されてない状態で示している。
【図３】図１に於けるＢ−Ｂ断面図を示している。又、操作体の回転に伴うクリップの位置を示している。
【図４】図１に於けるＡ−Ａ矢視断面図である。
【図５】回転軸の後端部位を示す斜視図である。
【図６】ボールペン筆記体１ａの縦断面図である。
【図７】インキ収容管の横断面図である。
【符号の説明】
１ａ  ボールペン筆記体
１ｂ  ボールペン筆記体
２  継ぎ手
３  前軸部
４  屈曲可能部
５  後軸部
６  鍔部
７  弁室
８  ボール受け座
９  導孔
１０  内孔部
１１  チップ
１２  先端ボール
１３  軸部
１４  スプリング
１５  棒軸部
１６  ボール弁
１７  インキ収容管
１８  インキ
１９  フォロア
２０  フォロア棒
２１  尾栓
２２  通気溝
２３  係止溝
３０  後軸
３０ａ  リブ
３０ｂ  後端段部
３１  ガイド用のリブ
３２  雄螺子
３３  回転軸
３４  小径部
３５  カム溝
３６  太径部
３６ａ  溝
３６ｂ  当接部
３６ｃ  当接部
３６ｄ  壁部
３６ｅ  縦溝
３６ｆ  入口
３７  軸部
３８  係止部
３８ａ  軸部
３８ｂ  鍔部
３８ｃ  割り溝
３８ｄ  回転止め溝
３９  膨出部
３９ａ  凸部
３９ｂ  凹部
４０  操作体
４０ａ  筒部
４０ｂ  後端部
４０ｃ  クリップ
４０ｄ  玉部
４０ｅ  凸部
４０ｆ  凹部
４１  スプリング
４２  天冠
４３ａ  摺動コマ
４３ｂ  摺動コマ
４４ａ  突起
４４ｂ  突起
４５ａ  挿入孔
４５ｂ  挿入孔
４６ａ  係止部
４６ｂ  係止部
４７ａ  ガイド溝
４７ｂ  ガイド突起
４８ａ  溝
４８ｂ  溝
４９  先軸
４９ａ  雌螺子
５０  先端口
【図１】
0003602273.tif 000002
【図２】
0003602273.tif 000003
【図３】
0003602273.tif 000004
【図４】
0003602273.tif 000005
【図５】
0003602273.tif 000006
【図６】
0003602273.tif 000007
【図７】
0003602273.tif 000008